(57)【要約】【課題】使用者の快適性を確実に向上できる敷き布団を提供する。【解決手段】敷き布団１は、ベースクッション２と、複数のポケット部１２と、複数の替えクッション３と、透湿防水性を有する透湿防水シート１８と、を備える。複数のポケット部１２は、ベースクッション２の一面２ａに設けられ、ベースクッション２を複数分割した大きさである。複数の替えクッション３は、各ポケット部１２に収納される。透湿防水シート１８は、ベースクッション２の他面２ｂに設けられる。【選択図】図２
0003227798.tif 000002
【実用新案登録請求の範囲】
【請求項１】
ベースクッションと、
前記ベースクッションの一面に設けられ、前記ベースクッションを複数分割した大きさの複数のポケット部と、
各前記ポケット部に収納される複数の替えクッションと、
前記ベースクッションの前記一面と対向する他面に設けられ透湿防水性を有するシートと、
を備える敷き布団。
【請求項２】
前記複数の替えクッションは、各々反発弾性率が異なる
請求項１に記載の敷き布団。
【請求項３】
前記複数の替えクッションは、反発弾性率の違いを判別するための表示部を有する
請求項２に記載の敷き布団。
【請求項４】
前記替えクッションは、複数層の小クッションからなる
請求項１から請求項３のいずれか一項に記載の敷き布団。
【請求項５】
前記複数のポケット部は、
前記ベースクッションの前記一面を覆うシーツと、
前記シーツの側部に開口部を有するように、前記シーツを複数区画するステッチ部と、
からなり、
前記ステッチ部の前記開口部側の端部の位置は、前記シーツの前記開口部が形成される側の縁から離間している
請求項１から請求項４のいずれか一項に記載の敷き布団。
【請求項６】
前記ポケット部は、１つの前記ポケット部に複数の前記替えクッションを収納可能な伸縮性を有する
請求項１から請求項５のいずれか一項に記載の敷き布団。
【請求項７】
前記ベースクッションは、前記ポケット部ごとに前記ベースクッションを折り畳むための折り目を有する
請求項１から請求項６のいずれか一項に記載の敷き布団。
【考案の詳細な説明】
【技術分野】
【０００１】
この考案は、敷き布団に関するものである。
【背景技術】
【０００２】
敷き布団で仰臥位をとる使用者の快適性（寝心地）を向上させるために、さまざまな敷き布団が提案されている。例えば、敷き布団を、軟質性素材を用いた複数の替えクッション（分割片）で構成し、袋状表地内に一体収容する技術が開示されている（例えば、特許文献１参照）。
このものにおいて、替えクッションは、それぞれ反発弾性率が異なる軟質性素材で構成されている。これら替えクッションを選択的に表地内に収容することで、敷き布団として全体的、又は要部の反発弾性率を調整できる。また、表地には、伸縮性と共に撥水性、又は防水性を有する布地を用いている。
【先行技術文献】
【特許文献】
【０００３】
【特許文献１】特開２００４−４９３５３号公報
【考案の概要】
【考案が解決しようとする課題】
【０００４】
しかしながら上述の従来技術では、表地に撥水性、又は防水性を有する布地を用いているので、敷き布団の通気性が悪化して敷き布団が湿っぽくなったりカビが発生したりする可能性があった。このため、使用者の快適性を向上できるとはいいにくい。
【０００５】
本考案は、使用者の快適性を確実に向上できる敷き布団を提供する。
【課題を解決するための手段】
【０００６】
上記の課題を解決するために、本考案の一態様に係る敷き布団は、ベースクッションと、前記ベースクッションの一面に設けられ、前記ベースクッションを複数分割した大きさの複数のポケット部と、各前記ポケット部に収納される複数の替えクッションと、前記ベースクッションの前記一面と対向する他面に設けられ透湿防水性を有するシートと、を備える。
【考案の効果】
【０００７】
上記態様によれば、敷き布団の通気性を向上でき、この結果、使用者の快適性を確実に向上できる。
【図面の簡単な説明】
【０００８】
【図１】本考案の実施形態における敷き布団の斜視図。
【図２】図１のＡ−Ａ線に沿う断面図。
【図３】本考案の実施形態におけるハードクッションの平面図。
【図４】図３のＢ−Ｂ線に沿う断面図。
【図５】本考案の実施形態におけるインナーカバーを替えクッション側からみた平面図。
【図６】本考案の実施形態におけるシーツの開口部を広げた状態を示す斜視図。
【図７】本考案の実施形態におけるノーマルポジションでの替えクッションの配置例を示す説明図。
【図８】本考案の実施形態における腰上げポジションでの替えクッションの配置例を示す説明図。
【図９】本考案の実施形態における背上げポジションでの替えクッションの配置例を示す説明図。
【図１０】本考案の実施形態における脚上げポジションでの替えクッションの配置例を示す説明図。
【考案を実施するための形態】
【０００９】
次に、この考案の実施形態を図面に基づいて説明する。
【００１０】
＜敷き布団＞
図１は、敷き布団１の斜視図である。図２は、図１のＡ−Ａ線に沿う断面図である。
図１、図２に示すように、敷き布団１は、使用者Ｊ（図７参照）が仰臥位可能な大きさのベースクッション２と、ベースクッション２の一面２ａ側に配置される複数（本実施形態では３個）の替えクッション３と、これらベースクッション２及び替えクッション３が収納されるインナーカバー４と、インナーカバー４を覆う表地となるアウターカバー５と、を備える。
【００１１】
＜ベースクッション＞
ベースクッション２は、例えば使用者Ｊの身長方向に長い長方形に形成されている。ベースクッション２は、例えば立体網状構造体クッションである。
立体網状構造体クッションは、例えば発泡−架橋型ウレタンのクッションと比べて、同等以上の耐久性を有する。また、立体網状構造体クッションは、例えば発泡−架橋型ウレタンのクッションと比べて、透湿透水性や通気性に優れており、蓄熱性が少ないため蒸れにくいという利点がある。さらに、立体網状構造体クッションは、熱可塑性樹脂からなるため、リサイクルが容易であり、残留薬品の心配もなく、環境に優しいという利点も挙げられる。立体網状構造体クッションは、埃も発生しにくい。ベースクッション２の反発弾性率は、任意に決定される。
【００１２】
また、ベースクッション２は、３つ折りできるように２つの折り目６が形成されている。２つの折り目６は、ベースクッション２を３分割する位置にベースクッション２の短手方向全体に渡って形成されている。２つの折り目６は、ベースクッション２の短手方向全体に渡って形成された縫合線７からなる。
【００１３】
２つの折り目６のうち、一方の縫合線７は、ベースクッション２の一面２ａに形成されている。この一方の縫合線７は、ベースクッション２の一面２ａが凹むようにベースクッション２の一面２ａとベースクッション２の一面２ａとは厚さ方向で対向する他面２ｂとを縫い合わせることにより形成される。２つの折り目６のうち、他方の縫合線７は、ベースクッション２の他面２ｂに形成されている。この他方の縫合線７は、ベースクッション２の他面２ｂが凹むようにベースクッション２の一面２ａと他面２ｂとを縫い合わせることにより形成される。ベースクッション２は、縫合線７が形成されている側の折り目６が谷折りとなるようにして３つ折りされる。
【００１４】
＜替えクッション＞
替えクッション３は、ベースクッション２の３つ折りに対応するようにベースクッション２を３分割したうちの１つ分の大きさに形成されている。つまり、３つの替えクッション３をベースクッション２の長手方向に並べて配置することで、ベースクッション２の一面２ａ全体に替えクッション３が配置された形になる。
ここで、３つの替えクッション３は、各々反発弾性率が異なる３種類の替えクッション３で構成されている。すなわち、例えば３つの替えクッション３は、反発弾性率に応じてスタンダードクッション３１、ハードクッション３２、ソフトクッション３３の３つのクッションに振り分けられる。
【００１５】
図３は、３つの替えクッション３（スタンダードクッション３１、ハードクッション３２、ソフトクッション３３）のうち、ハードクッション３２の平面図である。図４は、図３のＢ−Ｂ線に沿う断面図である。
図３、図４に示すように、本実施形態のハードクッション３２は、ベースクッション２の短手方向が長手方向となる長方形状に形成されている。ハードクッション３２は、替えクッションカバー８と、替えクッションカバー８内に重ねて収納された２つの小クッション９と、を備える。すなわちハードクッション３２は、２つの小クッション９からなる２層構造である。
【００１６】
小クッション９は、例えば立体網状構造体クッションである。このようなハードクッション３２の反発弾性率は、例えば６０である。ハードクッション３２における２つの小クッション９の反発弾性率は、同等である。しかしながらこれに限られるものではなく、２つの小クッション９の反発弾性率を変えてもよい。
【００１７】
ハードクッション３２の替えクッションカバー８も立体網状構造体である。ハードクッション３２の替えクッションカバー８は、長手方向の一端側に設けられた表示部１０を有する。
表示部１０は、替えクッション３の反発弾性率の違い、つまり替えクッション３の種類を判別するためのものである。表示部１０は、替えクッションカバー８の短手方向全体に渡って帯状に形成されている。表示部１０の構造は、替えクッションカバー８の構造と同様である。表示部１０の色彩が、この表示部１０以外の替えクッションカバー８の色彩と異なっている。これにより、使用者Ｊが替えクッション３の種類を視覚的に判別できる。
なお、使用者Ｊが視覚的に判別できるように表示部１０を構成しなくてもよい。例えば、使用者Ｊが手で触れて替えクッション３の種類を判別できるように、表示部１０の手触りを変えてもよい。
【００１８】
替えクッション３のうち、ソフトクッション３３についての基本的構成もハードクッション３２と同様である。つまり、ソフトクッション３３は、替えクッションカバー８と、替えクッションカバー８内に重ねて収納された２つの小クッション９と、を備える。このソフトクッション３３の反発弾性率は、例えば３７である。ソフトクッション３３における２つの小クッション９の反発弾性率は、同等である。しかしながらこれに限られるものではなく、２つの小クッション９の反発弾性率を変えてもよい。
【００１９】
一方、替えクッション３のうち、スタンダードクッション３１は、本実施形態では、替えクッションカバー８に１つの小クッション９が収納された単層構造である。スタンダードクッション３１の反発弾性率は、例えば４２である。
【００２０】
ここで、３つの替えクッション３のうち、例えばハードクッション３２とスタンダードクッション３１とに表示部１０が設けられている。これら２つの表示部１０は、各々判別可能に異なる色彩を有する。３つの替えクッション３のうちの１つには、表示部１０を設けなくてもよい。３つの替えクッション３のうちの２つの種類が判別できれば、もう１つの替えクッション３の種類が判別できるからである。本実施形態では、例えばソフトクッション３３の替えクッションカバー８には、表示部１０が設けられていない。しかしながら、これに限られるものではなく、３つの替えクッション３のうちのいずれかに表示部１０が設けられていなくてもよい。また、３つの替えクッション３の全てに表示部１０が設けられていてもよい。
【００２１】
＜インナーカバー＞
図５は、インナーカバー４を替えクッション３側（ベースクッション２の一面２ａ側）からみた平面図である。
図２、図５に示すように、ベースクッション２が収納されるベースカバー部１１と、各替えクッション３が各々別々に収納される３つのポケット部１２と、を備える。
ベースカバー部１１は、ベースクッション２の形状に対応するように形成された中間生地１３と下層生地１４とを、ベースクッション２の厚さ方向両側からベースクッション２を覆うように配置し、これら中間生地１３の全周と下層生地１４の全周とを縫い合わせてなる。
【００２２】
中間生地１３は、ベースクッション２の一面２ａに配置される。下層生地１４は、ベースクッション２の他面２ｂに配置される。
ここで、ベースクッション２は、ベースカバー部１１に完全に閉じ込められるので、ベースカバー部１１は、ベースクッション２の一部として規定する。つまり、ベースクッション２の一面２ａとは、この一面２ａの他に中間生地１３も指すものとする。また、ベースクッション２の他面２ｂとは、この他面２ｂの他に下層生地１４も指すものとする。
【００２３】
ポケット部１２は、中間生地１３（ベースクッション２の一面２ａ）を覆うシーツ１５と、シーツ１５をベースクッション２の折り目６に対応させて区画する２つのステッチ部１６と、からなる。２つのステッチ部１６によって１枚のシーツ１５に３つのポケット部１２が形成される。つまり、各ポケット部１２の大きさは、ベースクッション２を３分割したうちの１つ分の大きさとなる。
【００２４】
シーツ１５は、伸縮性を有する。シーツ１５は、ベースクッション２における短手方向の一側に開口部１５ａが形成されるように、その３辺がベースカバー部１１の周囲に縫い合わされている。
【００２５】
ステッチ部１６は、中間生地１３にシーツ１５をベースクッション２の折り目６に沿うように縫い合わせることにより形成される。ステッチ部１６の長手方向両端の位置は、シーツ１５の短手方向両縁から離間している。すなわち、ステッチ部１６の長さは、シーツ１５の短手方向の長さよりも短い。ステッチ部１６の長手方向両端とシーツ１５の短手方向両縁との間には、中間生地１３にシーツ１５が縫い合わされていない、非ステッチ部１７が形成される。
【００２６】
このようにして３つのポケット部１２が形成される。また、シーツ１５の開口部１５ａ側の縁とこの縁に対応する中間生地１３及び下層生地１４の縁とには、図示しないファスナーが設けられている。ファスナーによって、開口部１５ａを開閉できる。
このような構成のもと、各ポケット部１２に開口部１５ａ側から替えクッション３を入れることにより、各ポケット部１２に各々別々に替えクッション３が収納される。この後、ファスナーを閉めることにより、インナーカバー４とベースクッション２及び替えクッション３とが一体化される。
【００２７】
ここで、各ポケット部１２に収納される替えクッション３の種類（スタンダードクッション３１、ハードクッション３２、ソフトクッション３３）は、使用者Ｊの要望に応じて変更することができる。また、シーツ１５は伸縮性を有するので、１つのポケット部１２に複数（例えば２つ）の替えクッション３を収納することも可能である。このような替えクッション３の配置例についての詳細は、後述する。
【００２８】
＜アウターカバー＞
図１、図２に示すように、アウターカバー５は、ベースクッション２及び替えクッション３を収納したインナーカバー４を収納する袋状に形成されている。アウターカバー５における短手方向の一側（例えば、インナーカバー４の開口部１５ａと同じ側縁部）には、開口部５ａが形成されている。開口部５ａには、図示しないファスナーが設けられている。ファスナーによって、開口部５ａを開閉できる。
【００２９】
アウターカバー５には、ベースクッション２の他面２ｂ側（インナーカバー４の下層生地１４側）に、透湿防水性を有する透湿防水シート１８が設けられている。透湿防水シート１８は、ベースクッション２の他面２ｂの全体を覆う大きさに形成されている。透湿防水シート１８によって、ベースクッション２や替えクッション３の通気性が確保される。また、例えばおねしょ等があっても敷き布団１の外部へ漏れ出てしまうことが防止される。つまり、透湿防水シート１８によって、敷き布団１の内部から水分が漏れ出てしまうことが防止される。
【００３０】
＜敷き布団の使用方法＞
次に、図６から図１０に基づいて、敷き布団１の使用方法について説明する。
敷き布団１を使用するにあたり、まず、ポケット部１２に所望の替えクッション３を収納する。
【００３１】
図６は、インナーカバー４におけるシーツ１５の開口部１５ａを広げた状態を示す斜視図である。
ここで、前述したように、シーツ１５を３つのポケット部１２に区画するステッチ部１６の長手方向端部とシーツ１５の開口部１５ａ側の縁との間には、非ステッチ部１７が形成されている。このため、図６に示すように、シーツ１５の開口部１５ａを大きく広げることができる。よって、開口部１５ａを介して各ポケット部１２に替えクッション３を収納しやすい。また、替えクッション３には、表示部１０が設けられているので、各ポケット部１２に収納したい替えクッション３を容易に判別できる。
【００３２】
次に、替えクッション３の配置例について具体的に説明する。
【００３３】
＜ノーマルポジション＞
図７は、ノーマルポジションにおける替えクッション３の配置例を示す説明図である。
図７に示すように、ノーマルポジションでは、使用者Ｊの頭部Ｔから脚部Ｆにかけてスタンダードクッション３１、ハードクッション３２、ソフトクッション３３の順に配置する。
【００３４】
ここで、敷き布団１上で使用者Ｊが仰臥位をとると、通常は敷き布団１に腰部Ｋのあたりの荷重が最もかかる。つまり、このため、敷き布団１の長手方向中央（使用者Ｊの身長方向中央、腰部Ｋの辺り）にハードクッション３２を配置することにより、敷き布団１の不要な沈み込みを防止できる。また、敷き布団１に腰部Ｋに次いで荷重がかかる頭部Ｔ側にスタンダードクッション３１を配置し、最も荷重のかかりにくい脚部Ｆ側にソフトクッション３３を配置する。このように替えクッション３（３１〜３３）を配置することにより、敷き布団１と使用者との接触面積が広がり、体圧が分散される。
【００３５】
＜腰上げポジション＞
図８は、腰上げポジションにおける替えクッション３の配置例を示す説明図である。
図８に示すように、腰上げポジションでは、ノーマルポジションでのハードクッション３２上にソフトクッション３３を配置する。つまり、３つのポケット部１２のうち、中央のポケット部１２には、２つの替えクッション３が重ねて収納される。
このように替えクッション３を配置することにより、敷き布団１における使用者Ｊの腰部Ｋの辺りが嵩上げされる。このため、ノーマルポジションよりも使用者Ｊの腰部Ｋをしっかり支えることができる。腰上げポジションは、例えば腰部Ｋが辛いと感じるときに好適である。
【００３６】
＜背上げポジション＞
図９は、背上げポジションにおける替えクッション３の配置例を示す説明図である。
図９に示すように、背上げポジションでは、ノーマルポジションでのスタンダードクッション３１上にソフトクッション３３を配置する。つまり、３つのポケット部１２のうち、使用者Ｊの頭部Ｔ側のポケット部１２には、２つの替えクッション３が重ねて収納される。
このように替えクッション３を配置することにより、敷き布団１における使用者Ｊの頭部Ｔの辺りが嵩上げされる。このため、ノーマルポジションよりも使用者Ｊの頭部Ｔから背中（肩甲骨）Ｓの辺りをしっかり支えることができる。背上げポジションは、例えば肩や背中（肩甲骨）Ｓに倦怠感を感じるときに好適である。
【００３７】
＜脚上げポジション＞
図１０は、脚上げポジションにおける替えクッション３の配置例を示す説明図である。
図１０に示すように、脚上げポジションでは、３つのポケット部１２のうち、中央のポケット部１２に、スタンダードクッション３１を配置する。また、使用者Ｊの脚部Ｆ側のポケット部１２にハードクッション３２とソフトクッション３３とを重ねて収納する。この際、ハードクッション３２上にソフトクッション３３を配置する。
このように替えクッション３を配置することにより、敷き布団１における使用者Ｊの脚部Ｆの辺りが嵩上げされる。このため、ノーマルポジションよりも使用者Ｊの脚部Ｆをしっかり支えることができる。脚上げポジションは、例えば脚部Ｆに疲れを感じるときに好適である。
【００３８】
ここで、上記のいずれのポジションにおいても床面Ｙとベースクッション２との間にアウターカバー５の透湿防水シート１８が介在される。各クッション２，３は立体網状構造体であり、通気性が優れている。また、各カバー４，５も通気性が優れているので、敷き布団１に熱がこもることもなく、また、例えばおねしょ等があっても敷き布団１から床Ｙに水分が漏れ出てしまうこともない。
【００３９】
このように、上述の敷き布団１では、ベースクッション２とベースクッション２の一面２ａ（インナーカバー４の中間生地１３）に設けられたポケット部１２と、ポケット部１２に収納される替えクッション３と、ベースクッション２の他面２ｂ（インナーカバー４の下層生地１４）に設けられた透湿防水シート１８と、を備える。このため、反発弾性率の異なる替えクッション３の配置を変えることで、敷き布団１として全体的、又は要部の反発弾性率を調整できる。この結果、敷き布団１で仰臥位をとる使用者Ｊの快適性（寝心地）を向上させることができる。また、敷き布団１の通気性を十分確保しつつ、敷き布団１から床Ｙに水分が漏れ出てしまうことも防止できるので、使用者Ｊの快適性をより確実に向上できる。
【００４０】
替えクッション３（例えば、ハードクッション３２及びソフトクッション３３）には、表示部１０が設けられている。このため、使用者Ｊが替えクッション３の種類を視覚的に判別でき、各ポケット部１２に所望の替えクッション３を容易に収納できる。使い勝手のよい敷き布団１を提供できる。
【００４１】
替えクッション３のうち、例えばハードクッション３２やソフトクッション３３は、２つの小クッション９からなる２層構造である。２つの小クッション９により、クッション３２，３３によって使用者Ｊが包み込まれる感覚を得やすくできる。また、２つの小クッション９により、クッション全体としての反発弾性率を微調整することも可能になるので、使い勝手のよい替えクッション３を提供できる。
【００４２】
ポケット部１２は、シーツ１５と、シーツ１５を３つの区画する２つのステッチ部１６と、からなる。ステッチ部１６の長手方向両端の位置は、シーツ１５の短手方向両縁から離間している。すなわち、ステッチ部１６の長手方向両端とシーツ１５の短手方向両縁との間に、中間生地１３にシーツ１５が縫い合わされていない、非ステッチ部１７が形成される。このため、シーツ１５の開口部１５ａを大きく広げることができ、開口部１５ａを介して各ポケット部１２に替えクッション３を収納しやすくできる。
【００４３】
ポケット部１２（シーツ１５）は伸縮性を有するので、１つのポケット部１２に２つの替えクッション３を収納できる。また、ポケット部１２に１つの替えクッション３を収納した場合もポケット部１２内で替えクッション３がバタつくこともない。ポケット部１２内での替えクッション３の姿勢が維持されるので、敷き布団１の使用の度に替えクッション３の姿勢を直す必要もない。このため、使い勝手のよい敷き布団１を提供できる。
【００４４】
ベースクッション２は、３つ折りできるように２つの折り目６が形成されている。２つの折り目６は、３つのポケット部１２を形成するステッチ部１６に対応して形成されている。このため、ベースクッション２をポケット部１２ごとに折り畳むことができる。よって、各ポケット部１２に替えクッション３を収納した状態でベースクッション２を折り畳むことができる。
【００４５】
なお、本考案は上述の実施形態に限られるものではなく、本考案の趣旨を逸脱しない範囲において、上述の実施形態に種々の変更を加えたものを含む。
例えば、上述の実施形態では、インナーカバー４におけるシーツ１５の開口部１５ａを開閉する図示しないファスナーやアウターカバー５の開口部５ａを開閉するファスナーを設けた場合について説明した。しかしながらこれに限られるものではなく、各開口部１５ａ，５ａを開閉できる構造であればよい。例えば、ファスナーに代わって綿ファスナー等を用いることができる。
【００４６】
上述の実施形態では、アウターカバー５の開口部５ａとインナーカバー４の開口部１５ａとが同じ向きに形成されている場合について説明した。しかしながらこれに限られるものではなく、開口部５ａ，１５ａの向きはベースクッション２の短手方向で互いに反対側でもよい。
【００４７】
上述の実施形態では、敷き布団１にポケット部１２が３つ設けられている場合について説明した。また、敷き布団１は、ポケット部１２の数に対応して３つの替えクッション３を備えている場合について説明した。しかしながらこれに限られるものではなく、ポケット部１２は２つ以上の複数設けられていればよい。替えクッション３の個数もポケット部１２の個数に応じて２つ以上の複数あればよい。
【００４８】
上述の実施形態では、ポケット部１２（シーツ１５）は、２つの替えクッション３を収納可能な伸縮性を有している場合について説明した。しかしながらこれに限られるものではなく、ポケット部１２（シーツ１５）は、３つ以上の替えクッション３を収納可能な伸縮性を有していてもよい。
【００４９】
上述の実施形態では、３つの替えクッション３は、それぞれ反発弾性率の異なるスタンダードクッション３１、ハードクッション３２、及びソフトクッション３３で構成されている場合について説明した。しかしながらこれに限られるものではなく、各替えクッション３の反発弾性率を同じにしてもよい。
【００５０】
替えクッション３のうち、例えばハードクッション３２やソフトクッション３３は、２つの小クッション９からなる２層構造である場合について説明した。しかしながらこれに限られるものではなく、替えクッション３は、３つ以上の小クッション９からなる多層構造であってもよい。
【符号の説明】
【００５１】
１…敷き布団、２…ベースクッション、２ａ…一面、２ｂ…他面、３…替えクッション、４…インナーカバー、５…アウターカバー、６…折り目、９…小クッション、１０…表示部、１２…ポケット部、１５…シーツ、１５ａ…開口部、１６…ステッチ部、１８…透湿防水シート（シート）
【図１】
0003227798.tif 000003
【図２】
0003227798.tif 000004
【図３】
0003227798.tif 000005
【図４】
0003227798.tif 000006
【図５】
0003227798.tif 000007
【図６】
0003227798.tif 000008
【図７】
0003227798.tif 000009
【図８】
0003227798.tif 000010
【図９】
0003227798.tif 000011
【図１０】
0003227798.tif 000012